(57)【要約】【課題】撮影した画像の管理が容易な撮影装置を提供する。【解決手段】画像再生中にマークボタンを押すと、その再生画像の画像ファイルのヘッダ部にマークが付加されたことが記録される。分類指示が与えられると、マークが付加された画像ファイルが、対応するフォルダに分類されて格納される。【選択図】      図４
2005117249.tif 000002
【特許請求の範囲】
【請求項１】
撮影した画像の画像データに所定の付属情報を付加して記録メディアに記録する記録手段と、撮影した画像を再生表示する表示手段とを備えた撮影装置において、
前記表示手段に再生表示された画像に所定の分類情報の付加を指示する指示手段と、
前記指示手段からの指示に応じて前記表示手段に再生表示された画像の画像データに所定の分類情報を付加するように前記記録手段を制御する記録制御手段と、
を備えたことを特徴とする撮影装置。
【請求項２】
前記画像データに付加する分類情報の種類を選択する分類情報選択手段を備え、前記記録制御手段は、該分類情報選択手段で選択された種類の分類情報を付加するように前記記録手段を制御することを特徴とする請求項１に記載の撮影装置。
【請求項３】
前記記録制御手段は、前記分類情報が付加された画像データが、分類情報ごとに分類されて前記記録メディアに記録されるように前記記録手段を制御することを特徴とする請求項１又は２に記載の撮影装置。
【請求項４】
前記分類情報が付加された画像データが、分類情報ごとに分類されて前記記録メディアに記録されるように指示する分類指示手段を備え、前記記録制御手段は、該分類指示手段からの指示に応じて前記分類情報が付加された画像データが、分類情報ごとに分類されて前記記録メディアに記録されるように前記記録手段を制御することを特徴とする請求項３に記載の撮影装置。
【請求項５】
前記分類情報が付加された画像データの画像が前記表示手段に再生表示されると、該画像の画像データに分類情報が付加されていることを告知する告知手段を備えたことを特徴とする請求項１、２、３又は４に記載の撮影装置。
【請求項６】
撮影した画像の画像データに所定の付属情報を付加して記録メディアに記録する記録手段を備えた撮影装置において、
前記画像データに付加された付属情報に応じて前記画像データが前記記録メディアに分類され記録されるように指示する分類指示手段と、
前記分類指示手段からの指示に応じて前記記録メディアに記録された画像データが、前記付属情報ごとに分類されて前記記録メディアに記録されるように前記記録手段を制御する記録制御手段と、
を備えたことを特徴とする撮影装置。
【請求項７】
前記付属情報はＤＰＯＦ設定情報であって、該ＤＰＯＦ設定情報の中の特定の設定情報ごとに分類されて前記画像データが前記記録メディアに記録されることを特徴とする請求項６に記載の撮影装置。
【発明の詳細な説明】
【技術分野】
【０００１】
本発明は撮影装置に係り、特に撮影した画像データの分類機能を備えた撮影装置に関する。
【背景技術】
【０００２】
フィルムを使う銀塩カメラに対して、電気的に画像を記録するデジタルカメラでは、レンズを通った光をＣＣＤ等の撮像素子で受け、デジタル信号に変換してメモリカード等の記録メディアに記録する。このとき、撮影された画像は、撮影順にメモリカードに記録されるが、メモリカードの大容量化により、一枚のメモリカードで大量の撮影が可能になり、撮影後の画像の整理に大変な手間がかかるという問題が生じるようになった。
【０００３】
そこで、撮影後の画像の整理を簡単に行なうことができるようにするために、特許文献１には、撮影者が撮影前に撮影した画像データの記録領域をあらかじめ指定することにより、撮影後の画像の分類を不要にしたデジタルカメラが提案されている。
【０００４】
また、特許文献２には、画像処理装置として、デジタルカメラで撮影した画像データを取り込み、その画像データに付加された管理情報に基づいて画像をカテゴリ別に分類する装置が提案されている。
【特許文献１】特開２００１−７８１４４号公報
【特許文献１】特開２００３−９１５４５号公報
【発明の開示】
【発明が解決しようとする課題】
【０００５】
しかしながら、特許文献１の方法では、撮影前に画像データの記録領域を指定する操作が必要になるため、取り扱いが面倒であるという欠点がある。また、記録領域を指定していない場合や指定し忘れた場合などには、任意の領域に画像データを記録できないという欠点があり、また、撮影後の記憶領域の指定もできないという欠点がある。
【０００６】
また、特許文献２の方法では、デジタルカメラで撮影した画像を画像処理装置に取り込んで処理しなければならないため、手間がかかるという欠点がある。
【０００７】
本発明は、このような事情に鑑みてなされたもので、撮影した画像の管理が容易な撮影装置を提供することを目的とする。
【課題を解決するための手段】
【０００８】
請求項１に係る発明は、前記目的を達成するために、撮影した画像の画像データに所定の付属情報を付加して記録メディアに記録する記録手段と、撮影した画像を再生表示する表示手段とを備えた撮影装置において、前記表示手段に再生表示された画像に所定の分類情報の付加を指示する指示手段と、前記指示手段からの指示に応じて前記表示手段に再生表示された画像の画像データに所定の分類情報を付加するように前記記録手段を制御する記録制御手段と、を備えたことを特徴とする撮影装置を提供する。
【０００９】
本発明によれば、表示手段に再生表示された画像に対して指示手段から分類情報の付加の指示を与えると、その指示に応じて表示手段に再生表示された画像の画像データに所定の分類情報が付加されて記録メディアに記録される。
【００１０】
また、請求項２に係る発明は、前記目的を達成するために、前記画像データに付加する分類情報の種類を選択する分類情報選択手段を備え、前記記録制御手段は、該分類情報選択手段で選択された種類の分類情報を付加するように前記記録手段を制御することを特徴とする請求項１に記載の撮影装置を提供する。
【００１１】
本発明によれば、画像データに付加する分類情報の種類を分類情報選択手段によって選択することができる。
【００１２】
また、請求項３に係る発明は、前記目的を達成するために、前記記録制御手段は、前記分類情報が付加された画像データが、分類情報ごとに分類されて前記記録メディアに記録されるように前記記録手段を制御することを特徴とする請求項１又は２に記載の撮影装置を提供する。
【００１３】
本発明によれば、画像データに付加された分類情報に応じて画像データが記録メディアに分類して記録される。
【００１４】
また、請求項４に係る発明は、前記目的を達成するために、前記分類情報が付加された画像データが、分類情報ごとに分類されて前記記録メディアに記録されるように指示する分類指示手段を備え、前記記録制御手段は、該分類指示手段からの指示に応じて前記分類情報が付加された画像データが、分類情報ごとに分類されて前記記録メディアに記録されるように前記記録手段を制御することを特徴とする請求項３に記載の撮影装置を提供する。
【００１５】
本発明によれば、分類指示手段からの分類指示に応じて画像データが、画像データに付加された分類情報ごとに分類されて記録メディアに記録される。
【００１６】
また、請求項５に係る発明は、前記目的を達成するために、前記分類情報が付加された画像データの画像が前記表示手段に再生表示されると、該画像の画像データに分類情報が付加されていることを告知する告知手段を備えたことを特徴とする請求項１、２、３又は４に記載の撮影装置を提供する。
【００１７】
本発明によれば、分類情報が付加された画像データの画像が表示手段に表示されると、告知手段から当該画像の画像データに分類情報が付加されていることが告知される。
【００１８】
また、請求項６に係る発明は、前記目的を達成するために、撮影した画像の画像データに所定の付属情報を付加して記録メディアに記録する記録手段を備えた撮影装置において、前記画像データに付加された付属情報に応じて前記画像データが前記記録メディアに分類され記録されるように指示する分類指示手段と、前記分類指示手段からの指示に応じて前記記録メディアに記録された画像データが、前記付属情報ごとに分類されて前記記録メディアに記録されるように前記記録手段を制御する記録制御手段と、を備えたことを特徴とする撮影装置を提供する。
【００１９】
本発明によれば、分類指示手段からの分類指示に応じて画像データが、画像データに付加された付属情報に基づき分類されて記録メディアに記録される。
【００２０】
また、請求項７に係る発明は、前記目的を達成するために、前記付属情報はＤＰＯＦ設定情報であって、該ＤＰＯＦ設定情報の中の特定の設定情報ごとに分類されて前記画像データが前記記録メディアに記録されることを特徴とする請求項６に記載の撮影装置を提供する。
【００２１】
本発明によれば、画像データに付加されたＤＰＯＦ設定情報に基づいて画像データが記録メディアに分類して記録される。
【発明の効果】
【００２２】
本発明によれば、撮影装置内で画像の分類、整理を簡単に行なうことができる。
【発明を実施するための最良の形態】
【００２３】
以下、添付図面に従って本発明に係る撮影装置を実施するための最良の形態について詳説する。
【００２４】
図１、図２は、それぞれ本発明が適用されたデジタルカメラ１０の一実施形態を示す正面斜視図と背面斜視図である。
【００２５】
カメラボディ１２の正面には、図１に示すように、レンズ１４、ストロボ１６、ファインダ窓１８、セルフタイマランプ２０等が設けられている。また、カメラボディ１２の右側面にはＵＳＢ端子２２、電源端子２４等が設けられており、上面にはレリーズボタン２６、電源ボタン２８等が設けられている。
【００２６】
一方、カメラボディ１２の背面には、図２に示すように、モニタ３０、ファインダ接眼部３２、ストロボボタン３４、マクロボタン３６、ズームレバー３８、表示ボタン４０、ＢＡＣＫボタン４２、マークボタン４４、メニュー／ＯＫボタン４６、十字ボタン４８、モードスイッチ５０等が設けられている。
【００２７】
なお、図示しないカメラボディの底面には、バッテリ／メディアカバーが開閉自在に設けられている。このバッテリ／メディアカバーを開くと、バッテリを装填するためのバッテリ室及びメディアを装着するためのメディアスロットが設けられている。
【００２８】
レリーズボタン２６は、半押しと全押しとからなる２段ストローク式のスイッチで構成されており、このレリーズボタン２６の半押しでカメラはＡＥ／ＡＦが作動し、全押しで撮影が行なわれる。
【００２９】
モニタ３０は、カラー表示可能な液晶ディスプレイで構成されており、記録済み画像の表示画面として利用されるとともに、ユーザインターフェースの表示画面として利用される。また、撮影時には画角確認用の電子ファインダとしても使用される。表示ボタン４０は、このモニタ３０の表示内容の切り替えを指示するボタンとして機能する。
【００３０】
ストロボボタン３４は、ストロボモードの切り替えを指示するボタンとして機能し、このストロボボタン３４を１回押すごとに撮影中のストロボモードが「オートストロボ」→「赤目軽減ストロボ」→「強制発光ストロボ」→「スローシンクロ」→「ストロボ発光禁止」と切り替えられる。
【００３１】
マクロボタン３６は、マクロ機能のＯＮ／ＯＦＦの切り替えを指示するボタンとして機能し、このマクロボタン３６を１回押すごとに撮影中のマクロ機能のＯＮ／ＯＦＦが切り替えられる。
【００３２】
ズームレバー３８は、撮影時に撮影画像のズーム（テレ／ワイド）を指示するボタンとして機能するとともに、再生時に表示画像のズーム（拡大／縮小）を指示するボタンとして機能する。このズームレバー３８は、上下方向に揺動自在に設けられており、上方向に操作することにより、ズームがテレ側に操作され、下方向に操作することにより、ズームがワイド側に操作される。
【００３３】
マークボタン４４は、モニタ３０に再生表示された画像に対して分類用のマークの付加を指示するボタンとして機能する。なお、このマークの付加、及び、その付加されたマークに基づく画像の分類方法については、後に詳述する。
【００３４】
メニュー／ＯＫボタン４６は、各モードの通常画面からメニュー画面への遷移を指示するボタン（メニューボタン）として機能するとともに、選択内容の確定、実行を指示するボタン（ＯＫボタン）として機能し、ＢＡＣＫボタン４２は、入力操作のキャンセル等を指示するボタンとして機能する。
【００３５】
十字ボタン４８は、上下左右４方向の指示を入力するボタンとして機能し、メニュー画面などで所望の項目の選択などに使用する。
【００３６】
モードスイッチ５０は、カメラのモードの切り替えを指示するスイッチとして機能し、このモードスイッチ５０をスライド操作することにより、カメラのモードが「撮影モード」か「再生モード」のいずれか一方に切り替えられる。
【００３７】
図３は、図１及び図２に示したデジタルカメラ１０の内部の概略構成を示すブロック図である。
【００３８】
同図において、ＣＰＵ１００は、本カメラシステムの各回路を統括制御する制御部であり、ＲＯＭ１０２及びＲＡＭ１０４等の記憶手段を備えている。ＲＯＭ１０２には、ＣＰＵ１００が処理するプログラム及び制御に必要な各種データ等が格納され、ＲＡＭ１０４は、ＣＰＵ１００が各種の演算処理等を行う際の作業用エリアとして利用される。ＣＰＵ１００は、操作部（レリーズボタン２６、電源ボタン２８、ストロボボタン３４、マクロボタン３６、ズームレバー３８、表示ボタン４０、ＢＡＣＫボタン４２、マークボタン４４、メニュー／ＯＫボタン４６、十字ボタン４８、モードスイッチ５０等）１０６から出力された操作信号に基づき対応する回路の動作を制御し、レンズ駆動制御、撮影動作制御、画像処理制御、画像データの記録／再生制御、モニタ３０の表示制御などを行うとともに、自動露出（ＡＥ）演算、自動焦点調節（ＡＦ）演算、ホワイトバランス（ＷＢ）調整演算などの各種演算処理を実行する。
【００３９】
レンズ１４を通過した光は、ＣＣＤイメージセンサ（ＣＣＤ）１０８に入射する。ＣＣＤ１０８の受光面には、フォトセンサが平面的に配列されており、レンズ１４を介してＣＣＤ１０８の受光面に結像された被写体の光学像は、各フォトセンサによって入射光量に応じた量の信号電荷に変換される。
【００４０】
各フォトセンサに蓄積された信号電荷は、図示しないタイミングジェネレータから与えられる駆動パルスに基づいて信号電荷に応じた電圧信号（画像信号）として順次読み出され、アナログ信号処理部１１０に送られる。
【００４１】
アナログ信号処理部１１０は、サンプリングホールド回路、色分離回路、ゲイン調整回路、Ａ／Ｄ変換器等の信号処理回路を含み、このアナログ信号処理部１１０で入力された画像信号が、相関二重サンプリング処理並びにＲ、Ｇ、Ｂの各色信号に色分離処理され、各色信号の信号レベルの調整（プリホワイトバランス処理）が行われる。そして、デジタルの画像信号に変換されてＲＡＭ１０４に格納される。
【００４２】
ＲＡＭ１０４に格納された画像信号は、画像信号処理部１１２に送られる。画像信号処理部１１２は、輝度・色差信号生成回路、ガンマ補正回路、シャープネス補正回路、コントラスト補正回路、ホワイトバランス補正回路等を含むデジタルシグナルプロセッサ（ＤＳＰ）で構成され、ＣＰＵ１００からのコマンドに従って入力された画像信号を処理する。この画像信号処理部１１２に入力された画像信号は、輝度信号（Ｙ信号）及び色差信号（Ｃr,Ｃb 信号）に変換されるとともに、ガンマ補正等の所定の処理が施された後、ＲＡＭ１０４に格納される。
【００４３】
ＲＡＭ１０４に格納された画像データは、表示部１１４に入力される。表示部１１４は入力された画像データを表示用の所定方式の信号（例えば、ＮＴＳＣ方式のカラー複合映像信号）に変換してモニタ３０に出力する。
【００４４】
ＣＣＤ１０８から出力される画像信号によってＲＡＭ１０４内の画像データが定期的に書き換えられ、その画像データから生成される映像信号がモニタ３０に供給されることにより、ＣＣＤ１０８を介して入力される画像がリアルタイムにモニタ３０に表示される。撮影者は、このモニタ３０に映し出される画像（スルー画像）によって撮影画角を確認することができる。
【００４５】
なお、表示部１１４は、ＯＳＤ信号発生回路を含み、ＯＳＤ信号発生回路はＣＰＵ１００からのコマンドに従ってシャッタ速度や絞り値、撮影可能枚数、撮影日時、警告メッセージ等の文字及び記号情報を表示するための信号を発生させる。このＯＳＤ信号発生回路から出力される信号は、必要に応じて画像信号に混合されて、モニタ３０に供給される。これにより、スルー画像や再生画像に文字等が合成された合成画像が表示される。
【００４６】
モードスイッチ５０にてカメラのモードが撮影モードに設定されると、デジタルカメラ１０は撮影が可能になる。この状態でレリーズボタン２６が半押しされると、ＣＰＵ１００にＳ１ＯＮ信号が発せられる。ＣＰＵ１００は、このＳ１ＯＮ信号を検知して、ＡＥ、ＡＦ動作を実行する。すなわち、ＣＰＵ１００は、被写体にピントが合うように、図示しないレンズ駆動部を制御するとともに、被写体の明るさを測定し、適正露出となるように絞り値とシャッタ速度を決定する。
【００４７】
この後、レリーズボタン２６が全押しされると、ＣＰＵ１００にＳ２ＯＮ信号が発せられ、ＣＰＵ１００は、このＳ２ＯＮ信号を検知して、記録動作を実行する。すなわち、レリーズボタン２６の半押し時に決定した絞り値、シャッタ速度となるように、図示しない絞り駆動部及びＣＣＤ１０８の電子シャッタを制御し、画像の取り込みを行なう。
【００４８】
こうしてレリーズボタン２６の全押し操作に応動して、記録用の画像データの取り込みが開始され、ＣＣＤ１０８から出力された１コマ分の画像信号が、アナログ信号処理部１１０を介してＲＡＭ１０４に取り込まれる。ＲＡＭ１０４に取り込まれた画像信号は、画像信号処理部１１２で所定の信号処理が施された後、再びＲＡＭ１０４に格納され、画像記録部１１６に送られる。
【００４９】
画像記録部１１６は、圧縮伸張処理回路を含み、圧縮伸張処理回路はＣＰＵ１００からのコマンドに従って入力された画像データをＪＰＥＧその他の所定の形式に従って圧縮する。圧縮された画像データは、メディアインターフェース（メディアＩ／Ｆ）１１８を介して所定フォーマットの画像ファイルとして記録メディア１２０に記録される。この際、画像記録部１１６は、ＣＰＵ１００からのコマンドに従って記録メディア１２０の記録領域に所定のフォルダを作成し、画像ファイルを格納する。ここでは、たとえば、図４（ａ）に示すように、『画像ルートフォルダ』の直下に『画像フォルダ１』を作成し、その『画像フォルダ１』に画像ファイルを格納する。
【００５０】
なお、記録メディア１２０としては、ｘＤピクチャーカード、スマートメディア、コンパクトフラッシュ、磁気ディスク、光ディスク、光磁気ディスク、メモリスティックなどのカメラボディ１２に対して着脱可能なリムーバブルメディアの他、カメラボディ１２に内蔵された記録メディア（内部メモリ）であってもよい。
【００５１】
モードスイッチ５０にて再生モードが選択されると、記録メディア１２０に記録された画像の再生が可能になる。
【００５２】
モードスイッチ５０が再生モードに設定されると、記録メディア１２０に最後に記録された画像ファイルの画像データを読み出される。読み出された画像データは、画像記録部１１６にて所要の伸張処理が施されたのち、表示部１１４を介してモニタ３０に出力される。これにより、記録メディア１２０に記録された画像の閲覧が可能になる。
【００５３】
画像のコマ送りは、十字ボタン４８で行なわれ、十字ボタン４８の右キーが押されると、次の画像ファイルが記録メディア１２０から読み出され、モニタ３０に再生表示される。また、十字ボタン４８の左キーが押されると、前の画像ファイルが記録メディア１２０から読み出され、モニタ３０に再生表示される。
【００５４】
また、デジタルカメラ１０は、ホスト機器へのＵＳＢ接続をトリガとして、その動作モードを通信モードに移行する。通信モードとしては、パーソナルコンピュータ（ＰＣ）に接続されて、ＰＣからリムーバブルディスク（マスストレージデバイス）として認識させる「ＰＣモード」と、プリンタに接続されて、プリンタに対して記録メディア１２０に記録されている画像をプリントさせる「ダイレクトプリントモード」とを備えている。通信制御部１２２は、設定された通信モードの下で所定のコマンド形式に従ったデータの送受信を行なう。
【００５５】
さて、上記のようにカメラのモードを再生モードに設定することにより、記録メディア１２０に記録された画像をモニタ３０に再生表示させることがきる。そして、この画像再生中にカメラボディ１２に設けられたマークボタン４４を押すと、モニタ３０に再生表示されている画像に対してマークが付される。すなわち、モニタ３０に再生表示されている画像の画像ファイルのヘッダ部分にマークが付加されたことが記録される。
【００５６】
このマークは、画像ファイルの分類に用いられ、分類の指示が出されると、このマークの有無に応じて画像ファイルが分類される。すなわち、図４に示すように、マークが付された画像ファイルと、マークが付されていない画像ファイルとが、それぞれ対応するフォルダに分別されて記録される。画像ファイルの分類の指示は、メニュー画面から行なわれ、画像分類のメニューが選択されると、画像ファイルの分類が実行される。
【００５７】
以下、このマークの付加処理の手順、及び、その付加されたマークに基づく画像ファイルの分類処理の手順を図５及び図６に示すフローチャートに従って説明する。
【００５８】
まず、マークの付加処理の手順を図５に示すフローチャートに従って説明する。上記のように、マークは画像再生中にマークボタン４４を押すことにより付加される。
【００５９】
まず、モードスイッチ５０を再生モードに切り替え、カメラのモードを再生モードに設定する。これにより、記録メディア１２０に最後に記録された画像ファイルの画像がモニタ３０に再生表示される（ステップＳ１０）。この画像再生中にＣＰＵ１００は、マークボタン４４の押下の有無を判定する（ステップＳ１１）。そして、マークボタン４４が押されたことを検出すると、その再生中の画像に対してマークを付加する（ステップＳ１２）。すなわち、画像記録部１１６にコマンドを出力し、その再生中の画像の画像ファイルのヘッダにマークが付加されたことを記録する。
【００６０】
この後、ＣＰＵ１００は、画像のコマ送りの有無を判定し（ステップＳ１３）、コマ送りがされた場合は、再びステップ１１に戻り、その再生画像に対してマークボタン４４の押下の有無を判定する。
【００６１】
一方、ステップ１３で画像のコマ送りがなされなかった場合には、再生モードの終了の有無を判定し（ステップＳ１４）、再生モードが終了した場合には、マークの付加処理を終了する。
【００６２】
このように、マークの付加は、画像再生中にマークボタン４４を押すことにより行なわれ、マークボタン４４が押されると、そのときモニタ３０に再生表示されている画像に対してマークが付される。
【００６３】
次に、付加されたマークに基づく画像ファイルの分類処理の手順を図６に示すフローチャートに従って説明する。画像ファイルの分類は、メニュー画面から画像ファイルの分類処理の実行を選択することにより行なわれる。
【００６４】
まず、再生モードの下でメニュー／ＯＫボタン４６を押し、図７（ａ）に示すように、モニタ３０に再生メニューの画面を表示させる（ステップＳ２０）。そして、この再生メニューのメニュー項目の中から『画像部類』を選択する。選択は、たとえば十字ボタン４８で行い、メニュー／ＯＫボタン４６で確定する。
【００６５】
ＣＰＵ１００は、この再生メニューのメニュー項目の中から『画像分類』が選択されたか否かを判定する（ステップＳ２１）。
【００６６】
『画像分類』が選択されると、図７（ｂ）に示すように、モニタ３０の表示が切り替わり、画像分類処理の実行を問い合わせるメッセージが表示される。ユーザは、画像分類処理を実行する場合は、メニュー／ＯＫボタン４６を押し、中止する場合はＢＡＣＫボタン４２を押す。そして、メニュー／ＯＫボタン４６が押されて、画像分類処理の実行が指示されると、ＣＰＵ１００は、画像分類処理を実行する。
【００６７】
すなわち、まず、記録メディア１２０に記録されている画像ファイルの中からマークが付加された画像ファイルがないか判定する（ステップＳ２２）。
【００６８】
ここで、マークが付加された画像ファイルがない場合は、処理を終了し、再生メニューを終了する（ステップＳ２５）。
【００６９】
一方、マークが付加された画像ファイルがある場合には、そのマークが付加された画像ファイルを専用のフォルダに格納する（ステップＳ２３）。たとえば、図４（ａ）に示すように、分類前、『画像フォルダ１』に１０個の画像ファイル（画像ファイル１〜１０）が格納されており、このうち５つの画像ファイル（画像ファイル２、３、４、６、８）にマークが付されているものとすると、そのマークが付された画像ファイル（画像ファイル２、３、４、６、８）を『画像フォルダ１』から抜き出し、図４（ｂ）に示すように、『画像フォルダ２』に格納する。なお、『画像フォルダ２』は、あらかじめ作成しておくものとし、作成されていない場合は新規に作成するものとする。
【００７０】
このように、画像分類の処理が実行されると、画像フォルダ１に格納されている画像ファイルの中からマークが付加された画像ファイルが抜き出され、画像フォルダ２に格納される。ＣＰＵ１００は、記録メディア１２０に記録されている全ての画像ファイルについての分類が完了したかを判定し（ステップＳ２４）、分類が完了すると、再生メニューを終了して（ステップＳ２５）、処理を完了する。
【００７１】
以上説明したように、本実施の形態のデジタルカメラ１０によれば、再生画像に対してマークを付すと、そのマークが付された画像ファイルが画像分類の指示に応じて専用のフォルダに分類される。これにより、デジタルカメラ内で簡単に画像ファイルの分類を行なうことができる。
【００７２】
なお、本実施の形態では、マークの有無により画像ファイルを分類するようにしているが、複数種類のマークを用意し、そのマークの種類ごとに画像ファイルを分類するようにしてもよい。以下、この分類用のマークが複数種類ある場合における、マークの付加処理の手順、及び、その付加されたマークに基づく画像ファイルの分類処理の手順を図８及び図９に示すフローチャートに従って説明する。
【００７３】
まず、マークの付加処理の手順を図８に示すフローチャートに従って説明する。なお、ここではマークＡ、Ｂ、Ｃの３つのマークが用意されているものとする。
【００７４】
まず、前記同様カメラのモードを再生モードに設定する。これにより、記録メディア１２０に最後に記録された画像ファイルの画像がモニタ３０に再生表示される（ステップＳ３０）。この画像再生中にＣＰＵ１００は、マークボタン４４の押下の有無を判定する（ステップＳ３１）。
【００７５】
マークボタン４４の押下を検出すると、ＣＰＵ１００は、再生画像に重ねてマークの選択を促すメッセージを表示させる。たとえば、図１０（ａ）に示すように、『マークを選択して下さい』のメッセージと共に『Ａ』、『Ｂ』、『Ｃ』のマークを再生画像に重ねて表示させる。ユーザは、このモニタ３０に表示された『Ａ』、『Ｂ』、『Ｃ』のマークの中から分類を希望するマークを選択する（ステップＳ３２）。選択は、たとえば十字ボタン４８で行い、メニュー／ＯＫボタン４６で確定する。
【００７６】
マークが選択されると、ＣＰＵ１００は、再生画像に重ねて選択したマークの確認を促すメッセージを表示させる。たとえば、マークＡが選択された場合には、図１０（ｂ）に示すように、『マークＡに設定  ＯＫ？』のメッセージを表示する。ユーザは、このメッセージに基づいて選択したマークを確認し、誤りがなければメニュー／ＯＫボタン４６を押す。一方、マークを選択し直す場合は、ＢＡＣＫボタン４２を押す。ＢＡＣＫボタン４２が押されると、一つ前の画面に戻り、再びマークの選択処理が行なわれる。
【００７７】
マークの選択が確定すると、ＣＰＵ１００は選択されたマークを判定し、その選択されたマークを再生画像に付加する。すなわち、まず、ＣＰＵ１００は、選択されたマークがＡであるか否かを判定する（ステップＳ３３）。そして、マークＡが選択されている場合は、再生画像に付加するマークをＡに設定し（ステップＳ３４）、再生画像にマークＡを付加する（ステップＳ３５）。すなわち、画像記録部１１６にコマンドを出力し、その再生中の画像の画像ファイルのヘッダにマークＡが付加されたことを記録する。
【００７８】
マークＡが選択されていない場合、次にＣＰＵ１００は、選択されたマークがＢであるか否かを判定する（ステップＳ３６）。そして、マークＢが選択されている場合は、再生画像に付加するマークをＢに設定し（ステップＳ３７）、再生画像にマークＢを付加する（ステップＳ３５）。すなわち、画像記録部１１６にコマンドを出力し、その再生中の画像の画像ファイルのヘッダにマークＢが付加されたことを記録する。
【００７９】
マークＢが選択されていない場合、ＣＰＵ１００は、再生画像に付加するマークをＣに設定し（ステップＳ３８）、再生画像にマークＣを付加する（ステップＳ３５）。すなわち、画像記録部１１６にコマンドを出力し、その再生中の画像の画像ファイルのヘッダにマークＣが付加されたことを記録する。
【００８０】
この後、ＣＰＵ１００は、画像のコマ送りの有無を判定し（ステップＳ３９）、コマ送りがされた場合は、再びステップ３１に戻り、その再生画像に対してマークボタン４４の押下の有無を判定する。一方、ステップ３１で画像のコマ送りがなされなかった場合には、再生モードの終了の有無を判定し（ステップＳ４０）、再生モードが終了した場合には、マークの付加処理を終了する。
【００８１】
このように、マークを複数選択できる場合は、マークボタン４４を押したあと、付加するマークの選択処理が行なわれ、選択されたマークがモニタ３０に再生表示されている画像に付加される。
【００８２】
次に、付加されたマークに基づく画像ファイルの分類処理の手順を図９に示すフローチャートに従って説明する。
【００８３】
まず、再生モードの下でメニュー／ＯＫボタン４６を押し、図７（ａ）に示すように、モニタ３０に再生メニューの画面を表示させる（ステップＳ４１）。そして、この再生メニューのメニュー項目の中から「画像部類」を選択する。ＣＰＵ１００は、この再生メニューのメニュー項目の中から「画像分類」が選択されたか否かを判定する（ステップＳ４２）。
【００８４】
「画像分類」が選択されると、図７（ｂ）に示すように、モニタ３０の表示が切り替わり、画像分類処理の実行の要否を問い合わせるメッセージが表示される。ユーザは、画像を分類する場合は、メニュー／ＯＫボタン４６を押し、中止する場合はＢＡＣＫボタン４２を押す。そして、メニュー／ＯＫボタン４６が押されて、画像分類処理の実行が指示されると、ＣＰＵ１００は、画像分類処理を実行する。
【００８５】
すなわち、まず、記録メディア１２０に記録されている画像ファイルの中からマークが付加された画像ファイルがあるかないかを判定する（ステップＳ４３）。ここで、マークが付加された画像ファイルがない場合は、処理を終了し、再生メニューを終了する（ステップＳ４６）。
【００８６】
一方、マークが付加された画像ファイルがある場合には、そのマークが付加された画像ファイルをマークの種類ごとに分類して格納する（ステップＳ４４）。たとえば、図１１（ａ）に示すように、分類前、『画像フォルダ１』に１０個の画像ファイル（画像ファイル１〜１０）が格納されており、このうち画像ファイル２、１０にマークＡが付加され、画像ファイル３、８にマークＢが付加され、画像ファイル４、６、７にマークＣが付加されているものとする。この場合、マークＡが付加された画像ファイル２、１０については、『画像フォルダ２』に格納し、マークＢが付加された画像ファイル３、８については、『画像フォルダ３』に格納する。そして、マークＣが付加された画像ファイル４、６、７については、『画像フォルダ４』に格納する。
【００８７】
なお、画像フォルダ２、３、４については、あらかじめ作成しておくものとし、作成されていない場合は新規に作成するものとする。
【００８８】
このように、画像分類の処理が実行されると、画像フォルダ１に格納されている画像ファイルの中からマークが付加された画像ファイルが抜き出され、各マークごとに専用の画像フォルダに分類されて格納される。ＣＰＵ１００は、記録メディア１２０に記録されている全ての画像ファイルについての分類が完了したかを判定し（ステップＳ４５）、分類が完了すると、再生メニューを終了して（ステップＳ４６）、処理を完了する。
【００８９】
以上説明したように、複数種類のマークを選択して付加できるようにし、付加されたマークの種類ごとに画像ファイルを分類することもできる。これにより、ユーザの好みに応じて詳細に画像ファイルを分類することができ、画像ファイルの管理が容易になる。たとえば、被写体別に分類したり、撮影日時別に分類したりできる。
【００９０】
なお、本例では、１つの画像ファイルに１種類のマークを付加しているが、１つの画像ファイルに複数のマークを付加することができるようにしてもよい。この場合、複数のマークが付された画像ファイルについては、各マークのフォルダにコピーして格納する。たとえば、１つの画像ファイルにマークＡとマークＢの２つのマークが付された場合、マークＡに対応するフォルダとマークＢに対応するフォルダの２つのフォルダに画像ファイルを格納する。
【００９１】
また、マークが付加された画像については、再生する際、マークが付加されていることを示す表示を画像に重ねて表示する。たとえば、図１２に示すように、モニタ３０の画面右下隅にマークが付加されていることを示す表示を画像に重ねて表示する。なお、同図（ａ）は、マークＡが付加されている場合の表示例を示しており、同図（ｂ）は、マークＢが付加されている場合の表示例を示している。また、同図（ｃ）は、マークが付加されていない場合を示しており、同図（ｄ）は、マークの種類を選択できない場合にマークが付加されていることを示す表示例を示している。
【００９２】
また、一度付加したマークは、修正できるものとする。以下、このマークの修正手順について説明する。
【００９３】
図１３（ａ）に示すように、すでにマークが付された画像には、マークの種類に応じてマークが付されたことを示す表示が再生画像に重ねて表示される。なお、図１３（ａ）は、再生画像にマークＡが付されている場合を示している。
【００９４】
ユーザは、マークを変更する場合、そのマーク変更対象の画像がモニタ３０に再生表示されている状態でマークボタン４４を押す。マークボタン４４が押されると、ＣＰＵ１００は、図１３（ｂ）に示すように、モニタ３０上にマーク変更を問うメッセージを表示させる。ユーザは、このメッセージに基づいて、マークを変更する場合は、メニュー／ＯＫボタン４６を押し、変更しない場合は、ＢＡＣＫボタン４２を押す。
【００９５】
メニュー／ＯＫボタン４６が押されると、ＣＰＵ１００は、図１３（Ｃ）に示すように、マークの選択を促すメッセージをモニタ３０に表示させる。ユーザは、このメッセージに基づいてマークを選択する（マークなしを含む）。
【００９６】
マークが選択されると、ＣＰＵ１００は、図１３（ｄ）に示すように、選択の確認を促すメッセージをモニタ３０に表示させる。ユーザは、このメッセージに基づいて選択したマークを確認し、誤りがなければメニュー／ＯＫボタン４６を押す。一方、マークを選択し直す場合は、ＢＡＣＫボタン４２を押す。ＢＡＣＫボタン４２が押されると、一つ前の画面に戻り、再びマークの選択処理が行なわれる。
【００９７】
マークの選択が確定すると、ＣＰＵ１００は、その再生画像に付加されたマークを新たに選択されたマークに書き換える。すなわち、画像記録部１１６にコマンドを出力し、その再生中の画像の画像ファイルのヘッダに記録されているマークを新たに選択されたマークに書き換える。これにより、マークの変更が完了する。
【００９８】
なお、このようにマークが変更された場合も前記同様に画像分類処理が実行されると、その付加されたマークに応じて画像ファイルが分類処理される。すでに分類済みの場合も同様である。たとえば、マークＡが付加され、画像フォルダ２に分類された画像ファイルに対して付加するマークをマークＢに変更し、画像分類処理の実行を指示すると、当該画像ファイルが画像フォルダ２から抽出され、画像フォルダ３に格納される。
【００９９】
なお、上記実施の形態では、再生メニューのメニュー項目から『画像分類』を選択することにより、画像分類処理を実行するようにしているが、画像分類の処理の実行タイミングは、これに限定されるものではない。たとえば、次のように、マークが付加された段階で該当するフォルダに分類して格納するようにしてもよい。
【０１００】
図１４は、マークが付加された段階で該当するフォルダに分類して格納する場合の処理手順を示すフローチャートである。
【０１０１】
なお、マークを付加するまでの手順は、図８に示したフローチャートのステップ３０からステップ３８までの手順と同じなので、ここではマークを付加したあとの手順について説明する。
【０１０２】
再生画像に対してマークボタン４４が押され、付加するマークが選択されると、ＣＰＵ１００は、その選択されたマークを再生画像に付加する（ステップＳ３５）。そして、そのマークが付加された画像ファイルを付加されたマークに対応するフォルダに格納する（ステップＳ５０）。たとえば、マークＡが付加され場合には、第２フォルダに格納し、マークＢが付加された場合には、第３フォルダに格納する。
【０１０３】
この後、ＣＰＵ１００は、画像のコマ送りの有無を判定し（ステップＳ５１）、コマ送りがされた場合は、再びステップ３１に戻り、その再生画像に対してマークボタン４４の押下の有無を判定する。
【０１０４】
一方、ステップ５１で画像のコマ送りがなされなかった場合には、再生モードの終了の有無を判定し（ステップＳ５２）、再生モードが終了した場合には処理を終了する。
【０１０５】
このように、マークが付加された段階で直ちに画像ファイルを分類して対応するフォルダに格納するようにしてもよい。
【０１０６】
この他、デジタルカメラ１０がＰＣ等の外部機器と接続された段階で画像ファイルを対応するフォルダに分類、格納するようにしてもよい。
【０１０７】
図１５は、デジタルカメラ１０がＰＣに接続された段階で画像ファイルを対応するフォルダに分類、格納する場合の処理手順を示すフローチャートである。
【０１０８】
ＰＣとの接続をもって画像ファイルを分類する場合、ＣＰＵ１００は、ＰＣとのＵＳＢ接続の有無を判定する（ステップＳ６１）。
【０１０９】
ＰＣとＵＳＢ接続されると、ＣＰＵ１００は、次いで、記録メディア１２０に記録されている画像ファイルの中からマークが付加された画像ファイルがないか判定する（ステップＳ６２）。マークが付加された画像ファイルがない場合は、分類処理を終了し、設定された通信モードの下でデータの送受信画行なわれる。
【０１１０】
一方、マークが付加された画像ファイルがある場合には、そのマークが付加された画像ファイルを専用のフォルダに格納する（ステップＳ６３）。そして、全ての画像ファイルについての分類が完了したかを判定し（ステップＳ６４）、分類が完了すると、分類処理を完了する。この後、設定された通信モードの下でデータの送受信が行なわれる。
【０１１１】
このように、ＰＣとの接続を持って画像ファイルを分類するようにしてもよい。これにより、ユーザによる分類実行の指示を行なう必要がなくなり、使い勝手が向上する。
【０１１２】
なお、この他、カメラがクレードルにて充電又はＰＣ等と接続される場合には、クレードルに接続されたことをもって画像ファイルの分類処理を実行するようにしてもよい。
【０１１３】
次に、本発明に係る撮影装置の第２の実施の形態について説明する。
【０１１４】
上記実施の形態では、記録メディア１２０に記録された画像を再生モードで再生する過程でマークを付加しているが、本実施の形態では、撮影段階でマークを付加する。すなわち、撮影すると、その撮影画像がモニタ３０にプレビュー表示され、そのプレビュー表示中にマークボタン４４が押されると、モニタ３０にプレビュー表示された画像にマークが付される。
【０１１５】
なお、カメラの構成は、上記実施の形態のと同じなので、ここではマークを付加する処理の手順についてのみ説明する。
【０１１６】
図１６は、第２の実施の形態のデジタルカメラにおけるマークの付加処理の手順を示すフローチャートである。
【０１１７】
カメラのモードが撮影モードに設定されると（ステップＳ７０）、ＣＰＵ１００は、撮影の有無を判定する（ステップＳ７１）。そして、撮影が行なわれると、図１７（ａ）に示すように、撮影画像をモニタ３０にプレビュー表示させる（ステップＳ７２）。
【０１１８】
撮影者は、このプレビュー表示された撮影画像を確認し、記録メディア１２０に記録する場合は、メニュー／ＯＫボタン４６を押し、記録しない場合は、ＢＡＣＫボタン４２を押す。ＣＰＵ１００は、このプレビュー表示された撮影画像の記録の要否を判定する（ステップＳ７３）。
【０１１９】
ここで、ＢＡＣＫボタン４２が押され、記録しないことが選択されると、ＣＰＵ１００は、撮影モードの終了の有無を判定し（ステップＳ７４）、撮影モードの終了と判定すると、処理を終了する。
【０１２０】
一方、メニュー／ＯＫボタン４６が押され、記録することが選択されると、ＣＰＵ１００は、図１７（ｂ）に示すように、モニタ３０にマークの付加の要否を問うメッセージを撮影画像に重ねて表示させる。撮影者は、このモニタ３０の表示を確認し、撮影画像にマークを付加する場合はマークボタン４４を押し、付加しない場合は、ＢＡＣＫボタン４２を押す。ＣＰＵ１００は、このマークの付加の要否を判定する（ステップＳ７５）。
【０１２１】
そして、マークボタン４４が押され、マークを付加することが選択されると、ＣＰＵ１００は、画像記録部１１６にコマンドを出力し、その撮影画像の画像ファイルのヘッダにマークを付加して、撮影画像を記録メディア１２０に記録する（ステップＳ７６）。
【０１２２】
一方、ＢＡＣＫボタン４２が押され、マークを付加しないことが選択されると、ＣＰＵ１００は、通常どおり画像を記録メディア１２０に記録する（ステップＳ７７）。
【０１２３】
画像記録後、ＣＰＵ１００は、撮影モードの終了の有無を判定し（ステップＳ７４）、撮影モードの終了と判定すると、処理を終了する。
【０１２４】
以上説明したように、本実施の形態のデジタルカメラでは、撮影段階で撮影画像にマークを付加する。なお、付加されたマークに基づく画像ファイルの分類処理は、上述した実施の形態と同じである。すなわち、再生メニューの下で画像分類を選択し、画像分類の処理を実行させる。あるいは、カメラがＰＣとＵＳＢ接続されたことをもって分類処理を実行してもよいし、また、マークを付加した段階で分類処理を実行してもよい。
【０１２５】
また、本実施の形態では、マークの付加の要否のみを選択できるようにしているが、付加するマークの種類も選択できるようにすることが好ましい。たとえば、ステップ７５において、マーク付加が選択されると、更にマークの種類を選択させ、選択されたマークを付加するようにする。これにより、ユーザの要望に応じて更に詳細に画像ファイルを分類することができる。
【０１２６】
また、本実施の形態では、プレビュー表示された撮影画像に対して記録の指示が出された後、マーク付加の要否を問うようにしているが、マーク付加の指示を出すタイミングは、これに限定されるものではない。たとえば、撮影画像のプレビュー表示後、記録指示の前にマークボタン４４を押すと、そのプレビュー表示された撮影画像にマークが付加されるようにしてもよい。
【０１２７】
次に、本発明に係る撮影装置の第３の実施の形態について説明する。
【０１２８】
上記実施の形態では、ユーザが付加したマークに基づいて画像ファイルを分類処理しているが、この場合、マークが付加された画像ファイルがないと、画像ファイルの分類処理を行なうことができない。
【０１２９】
そこで、本実施の形態では、マークが付加された画像ファイルがない場合は、ＤＰＯＦ（Digital Print Order Format）ファイルに基づき画像ファイルを分類する。すなわち、ＤＰＯＦ設定されている画像ファイルと、ＤＰＯＦ設定されていない画像ファイルとを分類して各々個別のフォルダに格納する。
【０１３０】
なお、カメラの構成は、上記実施の形態のと同じなので、ここではＤＰＯＦファイルに基づき画像ファイルを分類する処理の手順についてのみ説明する。
【０１３１】
図１８は、第３の実施の形態のデジタルカメラにおける画像ファイルの分類処理の手順を示すフローチャートである。
【０１３２】
再生モードの下でメニュー／ＯＫボタン４６を押し、モニタ３０に再生メニューの画面（図７（ａ）参照）を表示させる（ステップＳ８０）。そして、この再生メニューのメニュー項目の中から『画像部類』を選択する。ＣＰＵ１００は、この再生メニューのメニュー項目の中から『画像分類』が選択されたか否かを判定する（ステップＳ８１）。
【０１３３】
『画像分類』が選択されると、画像分類処理の実行を問い合わせるメッセージが表示される（図７（ｂ）参照）。ユーザは、画像分類処理を実行する場合は、メニュー／ＯＫボタン４６を押し、中止する場合はＢＡＣＫボタン４２を押す。そして、メニュー／ＯＫボタン４６が押されて、画像分類処理の実行が指示されると、ＣＰＵ１００は、画像分類処理を実行する。
【０１３４】
すなわち、まず、記録メディア１２０に記録されている画像ファイルの中からマークが付加された画像ファイルがないか判定する（ステップＳ８２）。
【０１３５】
ここで、マークが付加された画像ファイルがない場合、ＣＰＵ１００は、ＤＰＯＦ設定された画像があるか否かを判定する（ステップＳ８３）。すなわち、記録メディア１２０にＤＰＯＦファイルの有無を検索し、そのＤＰＯＦファイルに基づいてＤＰＯＦ設定された画像ファイルの有無を判定する。
【０１３６】
そして、ＤＰＯＦ設定された画像ファイルがある場合には、そのＤＰＯＦ情報をマークに代替する（ステップＳ８４）。すなわち、ＤＰＯＦ設定された画像ファイルをマーク付き画像ファイルとする。
【０１３７】
一方、ＤＰＯＦ設定された画像ファイルがない場合には、分類処理を終了し、再生メニューを終了する（ステップＳ９０）。
【０１３８】
マークが付加された画像ファイルがある場合、あるいは、ＤＰＯＦ設定された画像ファイルがある場合、ＣＰＵはマークを分析し（ステップＳ８５）、記録メディア１２０の記録領域にマークに対応するフォルダが作成されているか否かを判定する（ステップＳ８６）。そして、マークに対応するフォルダが作成されていない場合は、対応するフォルダを作成したのち（ステップＳ８７）、そのマークに対応したフォルダに画像ファイルを格納する（ステップＳ８８）。すなわち、同じマークが付された画像ファイルを同じマークの画像フォルダに格納する。
【０１３９】
なお、ＤＰＯＦ設定された画像ファイルの場合、ＤＰＯＦ設定された画像ファイルをマークが付された画像とみなすので、たとえば、図４（ｂ）に示すように、ＤＰＯＦ設定された画像ファイルを画像フォルダ１から抽出し、画像フォルダ２に格納する。
【０１４０】
このように、画像ファイルをマークの有無又はＤＰＯＦ設定の有無に基づき対応するフォルダに分類して格納する。そして、この分類処理を記録メディア１２０に記録されている画像ファイル全てについて行なう。ＣＰＵ１００は、記録メディア１２０に記録されている全ての画像ファイルについての分類が完了したかを判定し（ステップＳ８９）、分類が完了すると、再生メニューを終了して（ステップＳ９０）、処理を完了する。
【０１４１】
以上説明したように、本実施の形態によれば、マークが付加されていない場合、ＤＰＯＦ設定に基づいて画像ファイルが分類される。これにより、マークの付加処理を行なわなくても、画像ファイルを分類することができ、画像ファイルを容易に管理することができる。
【０１４２】
なお、ＤＰＯＦファイルは、プリント注文する画像ファイルの指定を行なう自動プリントファイルと、自動送信する画像ファイルを指定する自動送信ファイルと、自動再生を行なう画像ファイルを指定する自動再生ファイルの３つのファイルを含むので、分類は、このファイルの種類に応じて行なうようにしてもよい。たとえば、プリント注文設定された画像ファイルと、送信設定された画像ファイルと、再生設定された画像ファイルとに分類して対応するフォルダに格納する。この場合、１枚の画像に複数の設定が行なわれている場合は、各設定に対応するフォルダに画像ファイルを格納する。あるいは、優先度を設定して格納する。
【０１４３】
また、プリント注文の設定では、日付写し込みのあり／なしの設定やプリント枚数の設定、プリントサイズの設定ができるので、これらの設定に応じて分類するようにしてもよい。たとえば、日付写し込みの設定がされた画像ファイルと日付写し込みの設定がされていない画像ファイルとに分類して対応するフォルダに格納する。あるいは、プリント枚数の設定数に応じて分類し、対応するフォルダに格納する。この場合、１枚の画像に複数の設定が行なわれている場合は、各設定に対応するフォルダに画像ファイルを格納する。あるいは、優先度を設定して格納する。
【０１４４】
また、本実施の形態では、画像ファイルの分類指示を再生メニューから行なうようにしているが、前記同様にカメラがＰＣ等の外部機器と接続されると、自動的に画像ファイル場が分類されるようにしてもよい。
【０１４５】
なお、上述した一連の実施の形態では、本発明をデジタルカメラに適用した場合を例に説明したが、本発明は撮影機能を備えた携帯電話機やＰＤＡ等にも同様に適用することができる。
【０１４６】
また、本実施の形態では、専用のマークボタンにてマーク付加の指示を与えるようにしているが、マーク付加の指示を与える方法は、これに限定されるものではない。たとえば、メニュー項目からマーク付加の指示を与えるようにしてもよい。また、画像再生中に他のボタン、たとえばレリーズボタン２６の押下等でマーク付加の指示を与えるようにしてもよい。
【図面の簡単な説明】
【０１４７】
【図１】デジタルカメラの正面斜視図
【図２】デジタルカメラの背面斜視図
【図３】デジタルカメラの内部の概略構成を示すブロック図
【図４】分類前と分類後のフォルダ構造を示す図（マークが１つの場合）
【図５】マークの付加処理の手順を示すフローチャート（マークが１つの場合）
【図６】マークに基づく画像ファイルの分類処理の手順を示すフローチャート（マークが１つの場合）
【図７】再生メニュー表示時におけるモニタの表示例を示す図
【図８】マークの付加処理の手順を示すフローチャート（マークが複数ある場合）
【図９】マークに基づく画像ファイルの分類処理の手順を示すフローチャート（マークが複数ある場合）
【図１０】マーク選択時のモニタの表示例を示す図
【図１１】分類前と分類後のフォルダ構造を示す図（マークが複数の場合）
【図１２】マークが付加された場合におけるモニタへの画像の表示例を示す図
【図１３】マークを変更する場合におけるモニタの表示例を示す図
【図１４】マークが付加された段階で該当するフォルダに分類して格納する場合の処理手順を示すフローチャート
【図１５】デジタルカメラがＰＣに接続された段階で画像ファイルを対応するフォルダに分類、格納する場合の処理手順を示すフローチャート
【図１６】第２の実施の形態のデジタルカメラにおけるマークの付加処理の手順を示すフローチャート
【図１７】マーク付加時のモニタの表示例を示す図
【図１８】第３の実施の形態のデジタルカメラにおける画像ファイルの分類処理の手順を示すフローチャート
【符号の説明】
【０１４８】
１０…デジタルカメラ、１２…カメラボディ、１４…レンズ、１６…ストロボ、１８…ファインダ窓、２０…セルフタイマランプ、２２…ＵＳＢ端子、２４…電源端子、２６…レリーズボタン、２８…電源ボタン、３０…モニタ、３２…ファインダ接眼部、３４…ストロボボタン、３６…マクロボタン、３８…ズームレバー、４０…表示ボタン、４２…ＢＡＣＫボタン、４４…マークボタン、４６…メニュー／ＯＫボタン、４８…十字ボタン、５０…モードスイッチ、１００…ＣＰＵ、１０２…ＲＯＭ、１０４…ＲＡＭ、１０６…操作部、１０８…ＣＣＤイメージセンサ（ＣＣＤ）、１１０…アナログ信号処理部、１１２…画像信号処理部、１１４…表示部、１１６…画像記録部、１１８…メディアインターフェース（メディアＩ／Ｆ）、１２０…記録メディア、１２２…通信制御部
【図１】
2005117249.tif 000003
【図２】
2005117249.tif 000004
【図３】
2005117249.tif 000005
【図４】
2005117249.tif 000006
【図５】
2005117249.tif 000007
【図６】
2005117249.tif 000008
【図７】
2005117249.tif 000009
【図８】
2005117249.tif 000010
【図９】
2005117249.tif 000011
【図１０】
2005117249.tif 000012
【図１１】
2005117249.tif 000013
【図１２】
2005117249.tif 000014
【図１３】
2005117249.tif 000015
【図１４】
2005117249.tif 000016
【図１５】
2005117249.tif 000017
【図１６】
2005117249.tif 000018
【図１７】
2005117249.tif 000019
【図１８】
2005117249.tif 000020